(57)【要約】      （修正有）【課題】ネイルとラグスクリューとが容易に、かつ、高度の安定性を有して固定できるネイルとラグスクリューとの固定構造を提供する。【解決手段】ラグスクリューＡを構成するストッパースクリュー３０のねじ込みによりネイルＢとラグスクリューＡとを固定する構造であって、ラグスクリューは、先端部材１０と、該先端部材の基端部と連結する胴部材２０と、該胴部材の基端部２３に螺合侵入するストッパースクリューとから構成され、胴部材２０は、ネイルを胴部材に対して斜めに貫通させるネイル貫通穴が形成され、基端部２３の内周面にはストッパースクリューと螺合する螺子溝が形成されており、ストッパースクリューは、先端部３１と螺子棒部とからなり、先端部の先端面はネイルの側面Ｂ１に面接触するように傾斜しており、螺子棒部はその外周面に胴部材基端部の内周面に形成した螺子溝と螺合する螺子山が形成されてなる。【選択図】図１
2007236568.tif 000002
【特許請求の範囲】
【請求項１】
ラグスクリューを構成するストッパースクリューのねじ込みによる押し込み力により、ネイルとラグスクリューとを固定する固定構造であって、
前記ラグスクリューは、先端部材と、該先端部材の基端部と連結する胴部材と、該胴部材の基端部に螺合侵入するストッパースクリューとから構成され、
前記胴部材は、ネイルを胴部材に対して斜めに貫通させるために、その一方の側面のほぼ中央位置から他方の側面における中央よりやや後方位置に達するネイル貫通穴が形成され、基端部はネイル貫通穴に連通する中空であって、その内周面にはストッパースクリューと螺合する螺子溝とストッパースクリューを案内するガイド溝とが形成されており、
前記ストッパースクリューは、先端部と螺子棒部とからなり、先端部の先端面は、胴部材に対して斜めに貫通するネイルの側面に面接触するように傾斜しており、先端部の外周面には、胴部材基端部内部にストッパースクリューの先端部が侵入していく際に先端部先端面がネイルの側面に面接触する姿勢を維持するように胴部材基端部の内周面に形成したガイド溝に嵌合するガイド凸部が形成され、螺子棒部はその外周面に胴部材基端部の内周面に形成した螺子溝と螺合する螺子山が形成されてなる
ことを特徴とするネイルとラグスクリューとの固定構造。
【請求項２】
ラグスクリューの先端部材は、その先端部が螺子山を有する錐状に形成され、基端部は胴部材に対して進退可能に構成され、基端面にはドライバー用嵌合溝が形成されてなることを特徴とする請求項１に記載のネイルとラグスクリューとの固定構造。
【請求項３】
ラグスクリューの胴部材は、筒状体であることを特徴とする請求項１又は２に記載のネイルとラグスクリューとの固定構造。
【請求項４】
ストッパースクリューの先端部は、その後端面に延設した連結軸により螺子棒部と回転可能に遊嵌状態にて結合され、先端部と螺子棒部との間の連結軸にはスプリングワッシャーが配されてなることを特徴とする請求項１〜３のいずれか１項に記載のネイルとラグスクリューとの固定構造。
【請求項５】
ストッパースクリューの螺子棒部は、その後端面にはストッパースクリューを胴部材基端部内部に捩り込むドライバーが嵌合する凹部が形成されてなることを特徴とする請求項１〜４のいずれか１項に記載のネイルとラグスクリューとの固定構造。
【請求項６】
ネイルは、ストッパースクリューとの接触面が平滑であり、その反対面が湾出していて滑り止め溝が形成されてなることを特徴とする請求項１〜５のいずれか１項に記載のネイルとラグスクリューとの固定構造。
【発明の詳細な説明】
【技術分野】
【０００１】
本発明は、主に転子部骨折の骨接合術に使用するインプラント用のネイルとラグスクリューとの固定構造に関する。
【背景技術】
【０００２】
従来より、特許文献１に示されるように、ラグスクリューを構成するストッパースクリューのねじ込みによる押し込み力により、ネイルとラグスクリューとを固定する固定構造が知られている。当該特許文献に示される固定構造は、ネイルが中空状であって長さ方向にスリットが入っており、このスリットに対して、ストッパースクリューをねじ込んでいくことにより、ストッパースクリューがネイルのスリットを押し広げ、さらにストッパースクリューの先端がネイルの内面に達するまでねじ込むことにより、ネイルとラグスクリューとを固定するものである。
【特許文献１】米国特許第４６９７５８５号
【発明の開示】
【発明が解決しようとする課題】
【０００３】
しかしながら、特許文献１に示される固定構造は、ストッパースクリューとネイル内面との点接触及びネイル外面とラグスクリューとの点接触であって、いずれも点接触であるため、安定性に欠け、ぐらつくおそれがある。また、高い技術精度が要求される骨接合術において、ストッパースクリューによりネイルのスリットを押し広げるような物理的破壊力に達する相当の腕力を要する施術となるため、強度の緊張感が伴う高度の熟練した技術を必要とするものであった。
【０００４】
そこで、本発明者は、鋭意研究を重ねた結果、ネイルとラグスクリューとが容易に、かつ、高度の安定性を有して固定できるネイルとラグスクリューとの固定構造を開発した。
【課題を解決するための手段】
【０００５】
本発明に係るネイルとラグスクリューとの固定構造は、ラグスクリューを構成するストッパースクリューのねじ込みによる押し込み力により、ネイルとラグスクリューとを固定する固定構造であって、前記ラグスクリューは、先端部材と、該先端部材の基端部と連結する胴部材と、該胴部材の基端部に螺合侵入するストッパースクリューとから構成され、前記胴部材は、ネイルを胴部材に対して斜めに貫通させるために、その一方の側面のほぼ中央位置から他方の側面における中央よりやや後方位置に達するネイル貫通穴が形成され、基端部はネイル貫通穴に連通する中空であって、その内周面にはストッパースクリューと螺合する螺子溝とストッパースクリューを案内するガイド溝とが形成されており、前記ストッパースクリューは、先端部と螺子棒部とからなり、先端部の先端面は、胴部材に対して斜めに貫通するネイルの側面に面接触するように傾斜しており、先端部の外周面には、胴部材基端部内部にストッパースクリューの先端部が侵入していく際に先端部先端面がネイルの側面に面接触する姿勢を維持するように胴部材基端部の内周面に形成したガイド溝に嵌合するガイド凸部が形成され、螺子棒部はその外周面に胴部材基端部の内周面に形成した螺子溝と螺合する螺子山が形成されてなることを特徴とするものである。
【０００６】
上記のような構成よりなるネイルとラグスクリューとの固定構造は、ラグスクリューにおけるストッパースクリューの先端部先端面が、胴部材に対して斜めに貫通するネイルの側面に面接触するように傾斜しているため、ストッパースクリューをねじ込んでいくと、ストッパースクリューの先端部先端面がネイルに対し面接触する押し込み力が作用し、かつ、該押し込み力によりネイルがネイル貫通穴の切断面に接触するので、これらの面接触によりネイルとラグスクリューとが安定的に固定され、ネイルとラグスクリューの間においてぐらつきなどが生ずるおそれがない。また、ストッパースクリューをねじ込むだけの力で前記の押し込み力が働くので、物理的破壊力に達するような大きな腕力を必要とせず、容易にネイルとラグスクリューとが固定できる。
【０００７】
なお、前記の構成において、ラグスクリューの先端部材は、その先端部が螺子山を有する錐状に形成され、基端部は胴部材に対して進退可能に構成され、基端面にはドライバー用嵌合溝が形成されてなる構成としてもよい。
【０００８】
また、前記の構成において、ラグスクリューの胴部材は、筒状体である構成としてもよい。
【０００９】
さらにまた、前記の構成において、ストッパースクリューの先端部は、その後端面に延設した連結軸により螺子棒部と回転可能に遊嵌状態にて結合され、先端部と螺子棒部との間の連結軸にはスプリングワッシャーが配されてなる構成としてもよい。
【００１０】
また、前記の構成において、ストッパースクリューの螺子棒部は、その後端面にはストッパースクリューを胴部材基端部内部に捩り込むドライバーが嵌合する凹部が形成されてなる構成としてもよい。
【００１１】
さらにまた、前記の構成において、ネイルは、ストッパースクリューとの接触面が平滑であり、その反対面が湾出していて滑り止め溝が形成されてなる構成としてもよい。
【発明の効果】
【００１２】
以上のように、本発明に係るネイルとラグスクリューとの固定構造は、ネイルとラグスクリューとが容易に、かつ、高度の安定性を有して固定でき、熟練した高度の技術を必要とせずに骨接合術をより一層容易に行うことができる利点がある。
【発明を実施するための最良の形態】
【００１３】
以下に、本発明の好適な実施例を添付の図面に基づいて詳細に説明する。
【実施例】
【００１４】
図１は本実施例に係るネイルとラグスクリューとの固定状態を示す一部断面側面図であり、図２はラグスクリューのストッパースクリューを除く一部断面図であり、図３はラグスクリューにおける先端部材の分解図であり、図４はラグスクリューにおける胴部材の図であって、（ａ）は断面図、（ｂ）は後方から見た側面図であり、図５はラグスクリューにおけるストッパースクリューの図であって、（ａ）は前方から見た図、（ｂ）は側面から見た図、（ｃ）は後方から見た図であり、図６はストッパースクリューの後端側から見た側面図であり、図７はネイルの分解側面図であり、図８はネイルにおいて、ネイルキャップを取り外した斜視図であり、図９はネイル下部に挿通される固定螺子の側面図である。
【００１５】
本実施例に係るラグスクリューＡは、図１に示すように、ネイルＢが貫通され、ストッパースクリュー３０の捩り込みによる押し込み力により、ネイルＢにラグスクリューＡを固定する構造のものである。
【００１６】
前記ラグスクリューＡは、図２〜図６に示されるように、先端部材１０と胴部材２０と前記ストッパースクリューとから構成される。
【００１７】
先端部材１０は、特に図３に示されるように、その先端部１１が螺子山１１ａを有する錐状に形成され、その基端部１２は先端部材１０の中央軸部１２ａより軸径が若干径小である細軸部１２ｂを備えており、後端部１２ｃは前記細軸部１２ｂよりさらに軸径が若干径小に形成されてなる。そして、この細軸部１２ｂは、図２に示されるように、胴部材２０の先端側から差し込まれ、後端部１２ｃに環状のキャップ１２ｄが嵌め込まれることによって、先端部材１０は胴部材２０と進退可能に連結され、両部材１０、２０は着脱不可の構成となる。基端部１２の基端面１２ｅには、ドライバー用嵌合溝１２ｆが形成され、ドライバーにより先端部１１を大腿骨近位部にねじ込んでいくことができるようになっている。
【００１８】
胴部材２０は、図４に示すように、筒状体であって、ネイルＢを胴部材２０に対して斜めに貫通させるために、その一方の側面のほぼ中央位置に中央貫通穴２１ａが形成され、他方の側面における中央よりやや後方位置に後方貫通穴２１ｂが形成され、これら中央貫通穴２１ａと後方貫通穴２１ｂとにより、ネイル貫通穴２１が形成される。胴部材２０の先端部２２は、その先端口部２２ａの穴径を先端内部２２ｂの穴径より若干小さく形成されており、先端部材１０の基端部１２が進退可能に連結されるようになっている。すなわち、図２に示すように、先端口部２２ａの穴径は、基端部１２における先端部材中央軸部１２ａの軸径１０より小さく、細軸部１２ｂより大きく、キャップ１２ｄの外径より小さく形成されており、先端内部２２ｂの穴径は、キャップ１２ｄの外径より大きく形成されている。このように構成することにより、先端部材１０と胴部材２０とは、先端部材細軸部１２ｂの長さの範囲でスライドし、胴部材２０に対して先端部材１０が進退可能となる。胴部材２０の基端部２３の内周面にはストッパースクリュー３０と螺合する螺子溝２３ａとストッパースクリュー３０を案内するガイド溝２３ｂとが形成されており、次記するストッパースクリュー３０の構成により、ストッパースクリュー３０の先端の姿勢が変化せずに、図１に示すように、胴部材基端部２３にストッパースクリュー３０がねじ込まれるようになっている。
【００１９】
ストッパースクリュー３０は、図５に示すように、先端部３１と螺子棒部３２とから構成される。先端部３１の先端面３１ａは、胴部材２０に対して斜めに貫通するネイルＢの側面Ｂ１に面接触するように傾斜している。この先端部３１の外周面には、図６に示すように、胴部材基端部２３の内周面に形成したガイド溝２３ｂに嵌合するガイド凸部３１ｂが形成されており、胴部材基端部２３の内部にストッパースクリュー３０の先端部３１が、その先端部先端面３１ａがネイルＢの側面Ｂ１に面接触する姿勢を維持するように侵入していくように構成されている。先端部３１はその後端面３１ｃに延設した連結軸３１ｄにより螺子棒部３２と回転可能に遊嵌状態にて結合され、先端部３１と螺子棒部３２との間の連結軸３１ｄにはスプリングワッシャー３３が配されており、ストッパースクリュー３０を、胴部材２０にねじ込んでストッパースクリュー３０の先端面３１ａがネイル側面Ｂ１に接触し、さらに、ストッパースクリュー３０をねじ込んでいくとスプリングワッシャー３３が押し縮められ、その押し縮められたスプリングワッシャー３３が元の状態に復元しようとする付勢力が、ストッパースクリュー３０の先端面３１ａをネイル側面Ｂ１に対して常に面接触させ押圧させることになる。螺子棒部３２はその外周面に胴部材基端部２３の内周面に形成した螺子溝２３ａと螺合する螺子山３２ａが形成され、螺子棒部３２はその後端面３２ｂにはストッパースクリュー３０を胴部材基端部２３の内部に捩り込むドライバーが嵌合する凹部３２ｃが形成されている。
【００２０】
ネイルＢは、図７に示すように、ストッパースクリュー３０との接触面である側面Ｂ１が平滑であり、その反対面Ｂ２が湾出していて滑り止め溝Ｂ３が形成されている。なお、Ｂ４は、ネイル頭部に螺号されるネイルキャップである。ネイル下部の挿通穴Ｂ５には、図８に示す固定螺子Ｃが挿通され、ネイルＢが大腿骨遠位部に固定される。
【００２１】
本実施例に係るネイルＢとラグスクリューＡとの固定構造は、上記のような構成であるため、ラグスクリューＡにおけるストッパースクリュー３０の先端部先端面３１ａが、胴部材２０に対して斜めに貫通するネイルＢの側面Ｂ１に面接触するように傾斜しているため、ストッパースクリュー３０をねじ込んでいくと、ストッパースクリュー３０の先端部先端面３１ａがネイルＢに対し面接触する押し込み力が作用し、かつ、該押し込み力によりネイルＢがネイル貫通穴２１の切断面に接触するので、これらの面接触によりネイルＢとラグスクリューＡとが安定的に固定され、ネイルＢとラグスクリューＡの間においてぐらつきなどが生ずるおそれがない。また、ストッパースクリュー３０をねじ込むだけの力で前記の押し込み力が働くので、容易にネイルＢとラグスクリューＡとを固定することができる。
【図面の簡単な説明】
【００２２】
【図１】本実施例に係るネイルとラグスクリューとの固定状態を示す一部断面側面図である。
【図２】本実施例に係るラグスクリューのストッパースクリューを除く一部断面図である。
【図３】本実施例に係るラグスクリューにおける先端部材の分解図である。
【図４】本実施例に係るラグスクリューにおける胴部材の図であって、（ａ）は断面図、（ｂ）は後方から見た側面図である。
【図５】本実施例に係るラグスクリューにおけるストッパースクリューの図であって、（ａ）は前方から見た図、（ｂ）は側面から見た図、（ｃ）は後方から見た図である。
【図６】本実施例に係るストッパースクリューの後端側から見た側面図である。
【図７】本実施例に係るネイルの分解側面図である。
【図８】本実施例に係るネイルにおいて、ネイルキャップを取り外した斜視図である。
【図９】本実施例に係るネイル下部に挿通される固定螺子の側面図である。
【符号の説明】
【００２３】
Ａ・・・・ラグスクリュー
Ｂ・・・・ネイル
Ｂ１・・・ネイルのストッパースクリューが接触側の側面
Ｂ２・・・ネイルのストッパースクリューが接触する反対側の側面
Ｂ３・・・滑り止め溝
Ｂ４・・・ネイルキャップ
Ｂ５・・・固定螺子挿通穴
Ｃ・・・・固定螺子
１０・・・先端部材
１１・・・先端部材の先端部
１１ａ・・先端部の螺子山
１２・・・基端部
１２ａ・・先端部材の中央軸部
１２ｂ・・細軸部
１２ｃ・・基端部
１２ｄ・・キャップ
１２ｅ・・基端面
１２ｆ・・ドライバー用嵌合溝
２０・・・胴部材
２１・・・ネイル貫通穴
２１ａ・・中央貫通穴
２１ｂ・・後方貫通穴
２２・・・先端部
２２ａ・・先端口部
２２ｂ・・先端内部
２３・・・基端部
２３ａ・・基端部内周面の螺子溝
２３ｂ・・基端部内周面のガイド溝
３０・・・ストッパースクリュー
３１・・・先端部
３１ａ・・先端面
３１ｂ・・ガイド凸部
３１ｃ・・先端部の後端面
３１ｄ・・連結軸
３２・・・螺子棒部
３２ａ・・螺子棒部の螺子山
３２ｂ・・螺子棒部の後端面
３２ｃ・・ドライバー嵌合用凹部
３３・・・スプリングワッシャー
【図１】
2007236568.tif 000003
【図２】
2007236568.tif 000004
【図３】
2007236568.tif 000005
【図４】
2007236568.tif 000006
【図５】
2007236568.tif 000007
【図６】
2007236568.tif 000008
【図７】
2007236568.tif 000009
【図８】
2007236568.tif 000010
【図９】
2007236568.tif 000011